(57)【要約】【課題】圧切替型のマットレスと静止型のマットレスとを準備および保管することに伴って生じるコストの増加を抑えることができ、かつ、使用者が圧切替型のマットレスを使用しているのか、静止型のマットレスを使用しているのかといった使用状況を容易に把握することができるマットレス装置を提供する。【解決手段】マットレス装置１０は、流体の送給および排出に伴って膨張収縮可能なセル１１１を備える第１のマットレス部１１０と、第１のマットレス部が形成された面と反対の面側に配置され、使用者３００の体圧によって変形可能な静止型の構造を備える第２のマットレス部１２０と、第１のマットレス部および第２のマットレス部のどちらのマットレス部が、使用者を載置可能な表面側１０１に配置されているかを検出する角度検出部１３５と、を有している。【選択図】図２
2019118428.tif 000002
【特許請求の範囲】
【請求項１】
流体の送給および排出に伴って膨張収縮可能なセルを備える第１のマットレス部と、
前記第１のマットレス部が形成された面と反対の面側に配置され、使用者の体圧によって変形可能な静止型の構造を備える第２のマットレス部と、
前記第１のマットレス部および前記第２のマットレス部のどちらのマットレス部が、使用者を載置可能な表面側に配置されているかを検出する検出部と、を有するマットレス装置。
【請求項２】
前記検出部が取得した検出結果に基づいて動作モードを制御する制御部を有し、
前記制御部は、
前記第１のマットレス部が前記表面側に配置されている場合、前記セルの膨張および収縮を所定の時間で切り替える第１の動作モードを実行し、
前記第２のマットレス部が前記表面側に配置されている場合、前記セルの内圧を一定の圧力に維持する第２の動作モードを実行する、請求項１に記載のマットレス装置。
【請求項３】
前記第１のマットレス部と前記第２のマットレス部のどちらのマットレス部が前記表面側に配置されているかを報知する報知部を有する、請求項１または請求項２に記載のマットレス装置。
【請求項４】
前記第１のマットレス部の長手方向の端部に配置されており、かつ、前記セルよりも変形し難く構成された保護部材をさらに有する、請求項１〜３のいずれか１項に記載のマットレス装置。
【請求項５】
前記第１のマットレス部と前記第２のマットレス部とを連結分離自在に連結する連結部を有する、請求項１〜４のいずれか１項に記載のマットレス装置。
【発明の詳細な説明】
【技術分野】
【０００１】
本発明は、マットレス装置に関する。
【背景技術】
【０００２】
寝返りや体位変換を行うことが困難な療養者や要介護者等（以下、使用者とする）は、長期にわたってマットレスに横たわると、床ずれ（褥瘡）を発症することがある。床ずれの発症を未然に防止するために、空気等の流体の送給および排出に伴って膨張収縮するセルを備える、いわゆる「圧切替型のマットレス」のマットレスを使用することがある（特許文献１を参照）。圧切替型のマットレスは、セルの内圧を制御することにより、使用者に掛かる体圧を分散させることができる。そのため、使用者が長期にわたってマットレスに横たわる場合においても、床ずれを発症するのを効果的に予防することができる。
【０００３】
一方、自身で寝返りや体位変換を行うことが可能な使用者に対しては、体圧分散性よりも、寝心地や安定感等の性能が要求される。そのようなニーズに対応したマットレスとして、マットレスの圧力を切り替える機能を備えていない、いわゆる「静止型のマットレス」が知られている（特許文献２を参照）。静止型のマットレスは、常時一定の圧力を維持するように構成されているため、使用者に掛かる体圧は、使用者が寝返りをうつ等して体位を変更しない限り、変化しない。
【先行技術文献】
【特許文献】
【０００４】
【特許文献１】特開２０１４−２２６２６４号公報
【特許文献２】特開２０１７−１３６２９６号公報
【発明の概要】
【発明が解決しようとする課題】
【０００５】
上述したように、圧切替型のマットレスと静止型のマットレスは、異なる目的で使用される。そのため、マットレスを使用者に提供する施設（例えば、医療機関、介護施設）等では、圧切替型のマットレスと静止型のマットレスの両方のマットレスを予め準備しておき、使用者の症状や予後の状態等を考慮してマットレスの種類を選択し、より最適と思われるマットレスを提供する。したがって、上記のような施設等では、複数種類のマットレスを常時保管しておく必要があるため、複数種類のマットレスを購入することによるコストの増加や、保守管理に伴うコストの増加が問題となる。
【０００６】
なお、上記のような問題を解消するために、例えば、一つのマットレスに、圧切替型のマットレスの機能と静止型のマットレスの機能の両方の機能を組み込むといった対策を講じ得る。このような対策を講じた場合、複数種類のマットレスを購入および保管する必要がなくなるため、マットレスの使用に伴って生じる各種のコストの増加を抑えることができると考えられる。
【０００７】
しかしながら、一つのマットレスに圧切替型の機能と静止型の機能を組み込んだ場合、使用者自身が圧切替型のマットレスを使用しているのか、静止型のマットレスを使用しているのか、といった状況を容易に把握することができない可能性が生じる。また、そのような場合、本人が意図していない使用状態でマットレスが使用されるため、使用者の利便性は著しく低下する。特に、使用者が高齢者や要介護者であるような場合、上記のような使用状態の判別がつかないという問題が発生し易くなる。
【０００８】
本発明は、上記事情に鑑みてなされたものであり、圧切替型のマットレスと静止型のマットレスを準備および保管することに伴って生じるコストの増加を抑えることができ、かつ、使用者が圧切替型のマットレスを使用しているのか、静止型のマットレスを使用しているのかといった使用状況を容易に把握することができるマットレス装置を提供することを目的とする。
【課題を解決するための手段】
【０００９】
マットレス装置は、流体の送給および排出に伴って膨張収縮可能なセルを備える第１のマットレス部と、前記第１のマットレス部が形成された面と反対の面側に配置され、使用者の体圧によって変形可能な静止型の構造を備える第２のマットレス部と、前記第１のマットレス部および前記第２のマットレス部のどちらのマットレス部が、使用者を載置可能な表面側に配置されているかを検出する検出部と、を有する。
【発明の効果】
【００１０】
本発明のマットレス装置によれば、第１のマットレス部が表面側に配置されている場合、使用者は第１のマットレスを圧切替型のマットレスとして使用することができる。また、使用者は、第２のマットレス部が表面側に配置されている場合、第２のマットレスを静止型のマットレスとして使用することができる。そのため、マットレス装置は、圧切替型のマットレスと静止型のマットレスとを準備および保管することに伴って生じるコストの増加を抑えることができる。さらに、マットレス装置が備える検出部は、第１のマットレス部と第２のマットレス部が、表面側とその反対の裏面側のどちらの面側に配置されているかを検出する。そのため、マットレス装置を使用する使用者は、圧切替型のマットレスを使用しているのか、静止型のマットレスを使用しているのかといった使用状況を容易に把握することができる。
【図面の簡単な説明】
【００１１】
【図１】マットレス装置を示す概観斜視図である。
【図２】マットレス装置が備えるマットレス本体の分解斜視図である。
【図３】マットレス装置が備える第１のマットレス部および第２のマットレス部の分解斜視図である。
【図４】マットレス装置が備えるセルの概略断面図である。
【図５】マットレス装置が備えるマットレス本体の部分拡大図である。
【図６】マットレス装置が備える第１のマットレス部の部分拡大図である。
【図７】マットレス装置の制御装置の概略構成図である。
【図８】マットレス装置の動作制御例を示すフローチャートである。
【図９】マットレス装置が備えるリモートコントローラの表示部の表示例を示す図であって、図９（Ａ）は、体重設定の受付を表示している状態の図、図９（Ｂ）は、第２のマットレス部のかたさ設定の受付を表示している状態の図である。
【図１０】マットレス装置の使用例を示す図であり、第１のマットレス部に使用者が横たわった状態を示す平面図である。
【図１１】マットレス装置の使用例を示す図であり、第２のマットレス部に使用者が横たわった状態を示す平面図である。
【発明を実施するための形態】
【００１２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１３】
図１〜図６は、マットレス装置の装置構成の説明に供する図であり、図７は、マットレス装置の制御装置を示す図であり、図８は、マットレス装置の動作制御例を示すフローチャートであり、図９は、リモートコントローラ２００の表示部２１０の表示例を示す図であり、図１０および図１１は、マットレス装置の使用例を示す図である。
【００１４】
マットレス装置１０は、例えば、医療機関（病院や介護施設等）や一般家庭で使用することができる。マットレス装置１０を使用する使用者は、例えば、高齢者、療養者、在宅医療の患者、要介護者等である。
【００１５】
マットレス装置１０は、図１、図１０および図１１に示すように、使用者３００が載置可能なマットレス本体１００と、リモートコントローラ２００と、を有している。上記の「載置」とは、使用者の身体の少なくとも一部を載せることを意味し、例えば、使用者３００が横たわる（仰臥、横臥、伏臥等）こと、腰を掛けること等を意味する。
【００１６】
各図面に付した矢印Ｘは、マットレス本体１００の長手方向（使用者３００が横たわる方向）を示し、矢印Ｙは、マットレス本体１００の幅方向を示し、矢印Ｚは、マットレス本体１００の高さ（厚さ）方向を示している。
【００１７】
マットレス本体１００の各部の構造について説明する。
【００１８】
図２に示すように、マットレス本体１００は、流体の送給および排出に伴って膨張収縮可能なセル１１１を備える第１のマットレス部１１０と、第１のマットレス部１１０が形成された面と反対の面側に配置され、使用者３００の体圧によって変形可能な静止型の構造を備える第２のマットレス部１２０と、第１のマットレス部１１０および第２のマットレス部１２０のどちらのマットレス部が、使用者３００を載置可能なマットレス本体１００の表面側１０１に配置されているかを検出する角度検出部（「検出部」に相当する）１３５と、を有している。
【００１９】
本明細書の説明では、図１、図１０および図１１に示すように、使用者３００がマットレス装置１０を使用する際に使用者３００と対向する面側をマットレス本体１００の表面側１０１（以下、「表面側」とも記載する）とし、表面側１０１と反対側の面をマットレス本体１００の裏面側１０３（以下、「裏面側」とも記載する）とする。
【００２０】
使用者３００は、マットレス装置１０の使用に際し、第１のマットレス部１１０が表面側１０１に配置されている場合、第１のマットレス部１１０に身体を載せることができる（図１０を参照）。一方、使用者３００は、マットレス装置１０の使用に際し、第２のマットレス部１２０が表面側１０１に配置されている場合、第２のマットレス部１２０に身体を載せることができる（図１１を参照）。このように、マットレス本体１００は、表裏を裏返して使用することにより、第１のマットレス部１１０の使用と第２のマットレス部１２０の使用を簡単に変更することができる、リバーシブル構造を備えている。
【００２１】
＜第１のマットレス部＞
第１のマットレス部１１０は、いわゆる圧切替型のマットレスとして構成している。図２および図４に示すように、第１のマットレス部１１０は、マットレス本体１００の長手方向に並べられた複数のセル１１１を備えている。図４は、マットレス本体１００の長手方向におけるセル１１１の概略断面図である。
【００２２】
セル１１１は、流体（例えば、空気）が送給される内部空間を備えている。セル１１１は、内部空間へ流体が送給されることにより膨張し、内部空間から流体が排出されることにより収縮する。
【００２３】
各セル１１１は、例えば、２つのグループに分けられる。各グループ内のセル１１１同士は連通される。各グループは、流体を流通可能なチューブ１４１を介して２つの流体供給系統（Ａ系統およびＢ系統）に接続している。流体を供給する流体供給部（図７を参照）１３７は、制御装置１３０とともに後述する保護部材１２５に収容することにより、マットレス本体１００に一体的に組み込んでいる。
【００２４】
セル１１１は、２つの流体供給系統の内圧を周期的に変更することによって周期的に膨張および収縮する。各系統のセルは、異なる系統のセルとは独立して膨張および収縮できる。第１のマットレス部１１０は、セル１１１の膨張および収縮に伴って揺動（波動）する。このような動作により、第１のマットレス部１１０は、使用者とセル１１１との接触部位を周期的に変更することができ、同一のセル１１１が長時間連続して使用者に接触することを防止できる。
【００２５】
なお、セル１１１の具体的な構造（形状、個数、並べ方等）および流体供給系統のグループ数等は、セル１１１の圧力（内圧）を変更させることにより使用者３００の体圧分散を可能な限り、特に限定されない。
【００２６】
セル１１１を構成する材料は、特に限定されないが、例えば、熱可塑性ポリウレタンを用いることができる。
【００２７】
図６に示すように、各セル１１１に連通されるチューブ１４１は、例えば、第１のマットレス部１１０の裏面（マットレス本体１００を組立てたときに、第２のマットレス部１２０に対向する側の面）に配置している。また、第１のマットレス部１１０の裏面には、所定のコネクタ１４３を取り付けている。チューブ１４１は、コネクタ１４３を介して第１のマットレス部１１０に対して保持（固定）している。
【００２８】
図５および図６に示すように、マットレス本体１００の幅方向（Ｙ方向）に位置するセル１１１の端部には、第１のマットレス部１１０を後述する下カバー１５０に対して連結する第１連結部（「連結部」に相当する）１１５を配置している。第１連結部１１５の詳細については後述する。
【００２９】
＜第２のマットレス部＞
図２および図３に示すように、第２のマットレス部１２０は、第２のマットレス部１２０の本体を構成するマット部材１２１と、マットレス本体１００の長手方向（Ｘ方向）に位置するマット部材１２１の端部に配置された保護部材１２５と、保護部材１２５に収容された制御装置１３０と、を有している。
【００３０】
第２のマットレス部１２０のマット部材１２１は、図１１に示すように、平面視において長方形の形状を有している。また、図３に示すように、マット部材１２１の表面（マットレス本体１００を組立てたときに、第１のマットレス部１１０に対向する側の面）には、第１のマットレス部１１０に取り付けられたチューブ１４１およびコネクタ１４３を収容する凹状の溝部１２２を形成している。
【００３１】
図３および図１１に示すように、マット部材１２１の裏面（マットレス本体１００を組立てたときに、第１のマットレス部１１０と対向する側と反対側の面）には、所定のスリット１２３を形成している。スリット１２３は、例えば、マットレス本体１００の長手方向およびマットレス本体１００の幅方向に格子状に配列できる。マット部材１２１は、スリット１２３が形成されることにより、使用者３００がマット部材１２１上に載ったときに、マット部材１２１の表面に加わる張力を分断させることができる。それにより、マット部材１２１は、使用者３００の身体の一部を所望量だけ沈み込ませることが可能になる。
【００３２】
なお、スリット１２３のパターン（形状）、スリット１２３の深さ、スリット１２３の幅等は、図示により例示したものに限定されず、適宜変更することが可能である。また、マット部材１２１へのスリット１２３の形成を省略することも可能である。
【００３３】
マット部材１２１を形成する材料は、マット部材１２１がクッション性を有するように構成される限り特に限定されないが、例えば、ポリウレタン、ゲル、立体繊維や固綿、織物等を用いることができる。また、マット部材１２１は、同種や異種の材料で形成された複数の層を積層した積層構造を有するものであってもよい。また、マット部材１２１の厚み等も特に限定されない。
【００３４】
図３および図１０に示すように、保護部材１２５は、内部に所定の部材等を収容可能な箱型の部材で構成している。本実施形態においては、保護部材１２５の内部に、制御装置１３０を配置している。制御装置１３０の詳細については後述する。
【００３５】
図３に示すように、保護部材１２５には、チューブ１４１と連結されるチューブ接続部１２７を配置している。チューブ接続部１２７は、保護部材１２５に収容された流体供給部１３７（図３での図示は省略）と連結している。
【００３６】
第１のマットレス部１１０と第２のマットレス部１２０の組立ては、図３に示すように、第２のマットレス部１２０の上部側（表面側）に第１のマットレス部１１０の下部側（裏面側）を重ねるように配置する。第１のマットレス部１１０に取り付けたチューブ１４１およびコネクタ１４３（図６を参照）は、第２のマットレス部１２０のマット部材１２１に形成された溝部１２２に配置する。また、チューブ１４１は、保護部材１２５に配置されたチューブ接続部１２７に接続する。
【００３７】
図１０に示すように、マットレス本体１００は、第１のマットレス部１１０の長さＬ１が第２のマットレス部１２０の長さ（保護部材１２５を含めた長手方向の寸法）Ｌ２よりも短い。第２のマットレス部１２０の端部に配置された保護部材１２５は、例えば、図１０に示すように使用者３００が第１のマットレス部１１０に横たわった際に、使用者３００の足等がむやみに触れないような位置に配置されることが好ましい。
【００３８】
保護部材１２５は、当該保護部材１２５に収容した制御装置１３０を保護する機能と、使用者３００の身体を保護する機能の両方の機能を有している。保護部材１２５は、制御装置１３０を収容することにより、使用者３００が足等を制御装置１３０に不用意にぶつけてしまった際に、制御装置１３０が破損等するのを防止する。また、保護部材１２５は、使用者３００が足等を制御装置１３０にぶつけてしまった際に、使用者３００が足等を傷めてしまうことを防止する。
【００３９】
本実施形態では、保護部材１２５は、第１のマットレス部１１０のセル１１１よりも変形し難い部材（弾性変形し難い部材）で構成している。これは、次のような理由による。
【００４０】
使用者３００は、マットレス本体１００を背上げ機能（角度調整機能）を有するベッドマットレス上に載置して使用することがある。例えば、第２のマットレス部１２０を表面側１０１に配置して（図１１に示す使用状態）、使用者３００が第２のマットレス部１２０に載ると、使用者３００の足は、マットレス本体１００の最も足側に配置されるセル１１１と重なるように配置される。セル１１１は、変形しやすいため、ベッドマットレスを背上げすると、使用者３００の身体に対して十分なずれ防止効果を発揮することができず、マットレス本体１００が使用者３００の足側へ位置ずれしてしまうことがある。本実施形態のように保護部材１２５がセル１１１よりも変形し難い部材で構成されていると、保護部材１２５は、マットレス本体１００を使用者３００の足側に位置ずれさせるような力が作用する場合に、保護部材１２５自体の変形を抑制することによりマットレス本体１００の位置ずれを防止するストッパーとして機能する。
【００４１】
保護部材１２５を構成する材料は、特に限定されないが、例えば、ポリウレタンを用いることができる。
【００４２】
図１および図２に示すように、マットレス本体１００は、第２のマットレス部１２０の裏面側を覆うように配置される下カバー１５０と、第１のマットレス部１１０の表面側を覆うように配置される上カバー１６０と、を有している。なお、図１０および図１１では、下カバー１５０と上カバー１６０の図示を省略している。
【００４３】
図２に示すように、下カバー１５０は、第２のマットレス部１２０を収容可能な内部空間１５１と、内部空間１５１の外周を囲む側壁１５３と、側壁１５３に形成された第２連結部（「連結部」に相当する）１５５と、を有している。
【００４４】
第１のマットレス部１１０が備える第１連結部１１５と、下カバー１５０が備える第２連結部１５５は、相互に連結分離自在である。図５に示すように、下カバー１５０に形成した第２連結部１５５は、例えば、下カバー１５０の内部空間１５１に臨むように配置された嵌合部（雌型の凹部等）を有するように構成することができる。また、第１のマットレス部１１０に形成した第１連結部１１５は、例えば、第２連結部１５５に対して嵌合可能な嵌合部（雄型の突起等）を有するように構成することができる。
【００４５】
マットレス本体１００を組み立てる際、第２のマットレス部１２０は、下カバー１５０の内部空間１５１に収容する。この際、第１のマットレス部１１０は、第２のマットレス部１２０の表面側に配置する。そして、第２のマットレス部１２０を下カバー１５０に収容するように移動させることにより、第１のマットレス部１１０の第１連結部１１５と下カバー１５０の第２連結部１５５を連結させる。第２のマットレス部１２０は、第１のマットレス部１１０と下カバー１５０とが連結されることにより、第１のマットレス部１１０と下カバー１５０との間に挟まれた状態で、第１のマットレス部１１０と連結（固定）される。
【００４６】
なお、第１連結部１１５および第２連結部１５５の具体的な構成は特に限定されず、例えば、接着力を備えるシール、磁力により連結する構造、締結部材のような留め具等で構成してもよい。
【００４７】
上カバー１６０は、例えば、防水性を備える部材で構成することができる。上カバー１６０は、例えば、接着や機械的な連結部材等により、下カバー１５０に対して連結することができる。
【００４８】
＜リモートコントローラ＞
リモートコントローラ２００は、マットレス本体１００に組み込まれた制御装置１３０との間で信号の送受信や各種の情報等を通信する。制御装置１３０はリモートコントローラ２００から所定の処理を実行すべき旨の信号を受信すると、信号に応じた動作制御を実行する。リモートコントローラ２００は、動画や静止画等を表示可能な表示部２１０と、操作スイッチ２２０と、音および音声を出力可能なスピーカー（図示省略）と、電源用コネクタ（図示省略）と、を備えている。本実施形態においては、リモートコントローラ２００が備える表示部２１０は、第１のマットレス部１１０と第２のマットレス部１２０のどちらのマットレス部が表面側１０１に配置されているかを報知する報知部としての機能も備えている。なお、リモートコントローラ２００は、例えば、有線方式や無線方式で制御装置１３０と通信可能に構成することができる。
【００４９】
＜制御装置＞
図７には、マットレス装置１０が備える制御装置１３０の概略構成図を示している。
【００５０】
図７に示すように、制御装置１３０は、ＣＰＵ１３１と、ＲＯＭ１３２と、ＲＡＭ１３３と、ストレージ１３４と、角度検出部１３５と、報知部１３６と、流体供給部１３７と圧力検出部１３８と、を有している。制御装置１３０の各部は、信号を送受信するためのバスを介して相互に接続している。
【００５１】
ＣＰＵ１３１は、ＲＯＭ１３２やストレージ１３４に記録されているプログラムに従って、制御装置１３０の各部の制御や各種の演算処理を行う。ＣＰＵ１３１は、プログラムを実行することによって、制御部として機能する。ＲＯＭ１３２は、各種プログラムや各種データを格納する。ＲＡＭ１３３は、作業領域として一時的にプログラムやデータを記憶する。
【００５２】
ストレージ１３４は、オペレーティングシステムを含む各種プログラムや、各種データを格納する。また、ストレージ１３４には、マットレス装置１０の種類ごとの識別情報、名称、サイズ、流体供給系統の系統数、後述する動作モード等が相互に関連付けられている。マットレス装置１０の各設定は、プリセット情報として装置の製造時や出荷時等に記憶されてもよく、あるいは、使用する際にオペレーター操作、記憶媒体からのインストール、ネットワーク経由でのダウンロード等によって記憶されてもよい。
【００５３】
角度検出部１３５は、マットレス本体１００の表面側１０１に、第１のマットレス部１１０が配置されているか、または第２のマットレス部１２０が配置されているかを検出可能なセンサーにより構成している。角度検出部１３５は、マットレス本体１００の向きを自動で検出し、検出した結果をＣＰＵに送信する。
【００５４】
角度検出部１３５を構成するセンサーとしては、マットレス本体１００の表裏の状態が検出可能であれば特に限定されないが、例えば、公知の角度センサー（傾斜センサ、角速度センサ等）を用いることができる。
【００５５】
報知部１３６は、第１のマットレス部１１０と第２のマットレス部１２０のどちらのマットレス部がマットレス本体１００の表面側１０１に配置されているかを報知する。報知部１３６は、角度検出部１３５の検出結果に応じて報知する内容を変更するように制御される。
【００５６】
報知部１３６は、例えば、音、音声、画像、光、または、これらの組み合わせ等によりマットレス本体１００の表面側１０１に配置されたマットレス部の種類を報知する。報知部１３６は、例えば、画像を表示可能な表示部やスピーカー等によって構成することができる。
【００５７】
流体供給部１３７は、空気等の流体を供給するポンプと、各流体供給系統への流体の分配を行う切替弁と、流体の送給量を調整する調整弁と、を有する。流体供給部１３７は、ＲＡＭ１３３またはストレージ１３４に記憶された各種設定や、圧力検出部１３８が取得した内圧情報、ＣＰＵ１３１からの指示等に基づいて、第１のマットレス部１１０の各セル１１１が所定の内圧になるように流体を送給および排出する。
【００５８】
圧力検出部１３８は、第１のマットレス部１１０のセル１１１の内圧を検出するセンサーで構成している。圧力検出部１３８を構成するセンサーとしては、特に限定されないが、機械式や静電容量式の公知のセンサーを用いることができる。
【００５９】
＜マットレス装置の動作制御例＞
次に、マットレス装置１０の動作制御例を説明する。
【００６０】
図８は、マットレス装置１０の制御部（ＣＰＵ）１３１が実行する動作制御例を示すフローチャートである。図８に示す動作制御は、マットレス装置１０のストレージ１３４にプログラムとして記憶されており、制御部１３１が装置各部を制御することにより実行される。
【００６１】
使用者３００は、マットレス装置１０の使用を開始する際、第１のマットレス部（圧切替型のマットレス）１１０または第２のマットレス部（静止型のマットレス）をマットレス本体１００の表面側に配置する。
【００６２】
マットレス装置１０の角度検出部１３５は、マットレス本体１００の表面側１０１に、第１のマットレス部１１０と第２のマットレス部１２０のどちらのマットレス部が配置されているかを検出する（Ｓ１０１）。
【００６３】
マットレス装置１０の制御部１３１は、マットレス本体１００の表面側１０１に第１のマットレス部１１０が配置されていることが検出された場合（Ｓ１０２：ＹＥＳ）、第１のマットレス部１１０がマットレス本体１００の表面側１０１に配置さていることを報知部１３６により報知する（Ｓ１０３）。
【００６４】
次に、マットレス装置１０の制御部１３１は、リモートコントローラ２００へ所定の信号を送信し、図９（Ａ）に示すようにリモートコントローラ２００の表示部２１０に体重設定の受付画面を表示させる（Ｓ１０４）。使用者３００等は、リモートコントローラ２００の操作スイッチ２２０を操作して、使用者３００の体重を設定することができる。
【００６５】
次に、マットレス装置１０の制御部１３１は、各セル１１１の膨張および収縮を所定の時間で切り替える（例えば、自動的に切り替える）第１の動作モードを実行する（Ｓ１０５）。マットレス装置１０による第１の動作モードの実行は、所定の時間の間、または使用者によるマットレス装置１０の使用が終わるまで継続する。第１のマットレス部１１０は、リモートコントローラ２００によって設定された使用者３００の体重に応じた所定の硬さで膨張収縮を実行する。
【００６６】
マットレス装置１０の制御部１３１は、マットレス本体１００の表面側１０１に第２のマットレス部１２０が配置されていることが検出された場合（Ｓ１０２：ＮＯ）、第２のマットレス部１２０がマットレス本体１００の表面側１０１に配置さていることを報知部１３６により報知する（Ｓ１０６）。
【００６７】
次に、マットレス装置１０の制御部１３１は、リモートコントローラ２００へ所定の信号を送信し、図９（Ｂ）に示すようにリモートコントローラ２００の表示部２１０にマットの硬さ設定の受付画面を表示させる（Ｓ１０７）。使用者３００等は、リモートコントローラ２００の操作スイッチ２２０を操作して、表示された選択肢の中から所望の硬さを選択する。なお、図示例では、表示部２１０は、３段階に分かれた中から硬さを選択する画面を表示させているが、例えば、選択肢の数を増減したり、所望の硬さ（内圧）を数値で入力可能にしたりするなど表示内容を変更させることが可能である。
【００６８】
次に、マットレス装置１０の制御部１３１は、セル１１１の内圧を一定の圧力に維持する第２の動作モードを実行する（Ｓ１０８）。マットレス装置１０による第２の動作モードの実行は、所定の時間の間、または使用者によるマットレス装置１０の使用が終わるまで継続する。なお、第２の動作モードが実行されている間、各セル１１１の内圧は、例えば、５ｍｍＨｇ〜５０ｍｍＨｇに設定することができる。また、例えば、「やわらかい」が選択された場合、各セル１１１の内圧は５ｍｍＨｇ〜１５ｍｍＨｇに設定でき、「ふつう」が選択された場合、各セル１１１の内圧は１５ｍｍＨｇ〜２５ｍｍＨｇに設定でき、「かたい」が選択された場合、各セル１１１の内圧は２５ｍｍＨｇ〜５０ｍｍＨｇに設定できる。
【００６９】
以上のように、本実施形態に係るマットレス装置１０は、流体の送給および排出に伴って膨張収縮可能なセル１１１を備える第１のマットレス部１１０と、第１のマットレス部１１０が形成された面と反対の面側に配置され、使用者３００の体圧によって変形可能な静止型の構造を備える第２のマットレス部１２０と、第１のマットレス部１１０および第２のマットレス部１２０のどちらのマットレス部が使用者３００を載置可能な表面側１０１に配置されているかを検出する角度検出部１３５と、を有している。
【００７０】
上記のマットレス装置１０によれば、第１のマットレス部１１０が表面側１０１に配置された場合、使用者３００は第１のマットレス部１１０を圧切替型のマットレスとして使用することができる。また、使用者３００は、第２のマットレス部１２０が表面側１０１に配置された場合、第２のマットレス部１２０を静止型のマットレスとして使用することができる。そのため、マットレス装置１０は、圧切替型のマットレスと静止型のマットレスとを準備および保管することに伴って生じるコストの増加を抑えることができる。さらに、マットレス装置１０が備える角度検出部１３５は、第１のマットレス部１１０と第２のマットレス部１２０が、表面側１０１とその反対の裏面側１０３のどちらの面側に配置されているかを検出する。そのため、マットレス装置１０を使用する使用者３００は、圧切替型のマットレスを使用しているのか、静止型のマットレスを使用しているのかといった使用状況を容易に把握することができる。
【００７１】
また、マットレス装置１０は、角度検出部１３５が取得した検出結果に基づいて動作モードを制御する制御部１３１を有している。制御部１３１は、第１のマットレス部１１０が表面側１０１に配置されている場合、セル１１１の膨張および収縮を所定の時間で切り替える第１の動作モードを実行する。また、制御部１３１は、第２のマットレス部１２０が表面側１０１に配置されている場合、セル１１１の内圧を一定の圧力に維持する第２の動作モードを実行する。そのため、使用者３００は、マットレス装置１０の使用に際して、各マットレス部１１０、１２０の表裏の状態を自身で確認し、さらに、マットレス装置１０の動作モードを自身で設定するといった煩雑な作業を行う手間を省くことができる。さらに、使用者３００は、誤った動作モードでマットレス装置１０を使用することも防止できる。
【００７２】
また、マットレス装置１０は、第１のマットレス部１１０と第２のマットレス部１２０のどちらのマットレス部が表面側１０１に配置されているかを報知する報知部１３６を有している。そのため、使用者３００は、マットレス装置１０の使用に際して、各マットレス部１１０、１２０の表裏の状態をより確実に把握することができる。
【００７３】
また、マットレス装置１０は、第１のマットレス部１１０の長手方向の端部（使用者３００の足が配置される側の端部）に配置されており、かつ、セル１１１よりも変形し難く構成された保護部材１２５を有する。そのため、マットレス装置１０は、ベッドマットレスを背上げしている状態等において、保護部材１２５がマットレス本体１００の位置ずれを防止するストッパーとして機能する。また、マットレス装置１０は、保護部材１２５を備えることにより、保護部材１２５に収容した制御装置１３０を保護することができ、かつ、制御装置１３０等から使用者３００の身体を保護することができる。
【００７４】
また、マットレス装置１０は、第１のマットレス部１１０と第２のマットレス部１２０とを連結分離自在に連結する連結部１１５、１５５を有する。そのため、マットレス装置１０は、組み立および分離を容易に行うことができる。例えば、第１のマットレス部１１０の一部のセル１１１が破損等した場合には、第１のマットレス部１１０と第２のマットレス部１２０とを分離させ、第１のマットレス部１１０の一部のセル１１１のみを簡単に交換することができる。
【００７５】
以上、実施形態を通じて本発明に係るマットレス装置を説明したが、本発明は明細書内で説明した内容のみに限定されるものでなく、特許請求の範囲の記載に基づいて種々改変することが可能である。
【００７６】
例えば、マットレス装置は、制御装置がマットレス本体に一体的に組み込まれていなくてもよい。
【００７７】
また、例えば、セルは、第１のマットレス部において使用者が少なくとも載置される領域（範囲）に配置されていればよく、例えば、実施形態において説明したように第１のマットレス部の全範囲に配置されている必要はない。
【００７８】
また、実施形態の説明では、マットレス装置が備える連結部として、下カバーを介して第１のマットレス部と第２のマットレス部とを連結する構造のものを示した。ただし、連結部は、例えば、第１のマットレス部と第２のマットレス部とを直接的に連結する構造のものであってもよい。
【００７９】
また、マットレス装置は、リモートコントローラを備えていなくてもよい。その場合、例えば、マットレス本体に組み込まれた操作部や、情報端末にインストールされた各種のアプリ等を介してマットレス装置の操作を行うように構成することができる。また、マットレス装置は、リモートコントローラを備えない場合、報知部をマット本体のみに設けることができる。
【００８０】
また、マットレス装置は、第１のマットレス部と、第２のマットレス部と、検出部と、を有する限りにおいて具体的な構成等は限定されず、例えば、装置全体のレイアウト、各部材の構造、形状、材質等、付加的な部材の追加または省略等の変更は任意に行い得る。
【符号の説明】
【００８１】
１０  マットレス装置、
１００  マットレス本体、
１０１  マットレス本体の表面側、
１０３  マットレス本体の裏面側、
１１０  第１のマットレス部、
１１１  セル、
１１５  第１連結部（連結部）、
１２０  第２のマットレス部、
１２１  マット部材、
１２２  溝部、
１２３  スリット、
１２５  保護部材、
１２７  チューブ接続部、
１３０  制御装置、
１３１  ＣＰＵ（制御部）、
１３５  角度検出部（検出部）、
１３６  報知部、
１５０  下カバー、
１５５  第２連結部（連結部）、
１６０  上カバー、
２００  リモートコントローラ、
２１０  表示部（報知部）、
２２０  操作スイッチ、
３００  使用者。
【図１】
2019118428.tif 000003
【図２】
2019118428.tif 000004
【図３】
2019118428.tif 000005
【図４】
2019118428.tif 000006
【図５】
2019118428.tif 000007
【図６】
2019118428.tif 000008
【図７】
2019118428.tif 000009
【図８】
2019118428.tif 000010
【図９】
2019118428.tif 000011
【図１０】
2019118428.tif 000012
【図１１】
2019118428.tif 000013